【手続補正書】
【提出日】平成22年3月15日(2010.3.15)
【手続補正１】
【補正対象書類名】特許請求の範囲
【補正対象項目名】全文
【補正方法】変更
【補正の内容】
【特許請求の範囲】
【請求項１】
(A)その少なくとも一部が硬質且つ非平面である基板；
前記基板上に円周方向に配置された背面電極；
前記背面電極上に円周方向に配置された半導体接合；及び
前記半導体接合上に円周方向に配置された透明導電層；を含む太陽電池と、
(B)前記太陽電池上に円周方向に配置された透明ケースと
を含む、太陽電池ユニット。
【請求項２】
前記透明ケースがプラスチック又はガラスで構成される、請求項1記載の太陽電池ユニット。
【請求項３】
前記基板がプラスチック又はガラスを含む、請求項1記載の太陽電池ユニット。
【請求項４】
前記基板が金属又は金属合金を含む、請求項1記載の太陽電池ユニット。
【請求項５】
前記基板がソーダ石灰ガラスを含む、請求項1記載の太陽電池ユニット。
【請求項６】
前記基板が中空コアを有する、請求項1記載の太陽電池ユニット。
【請求項７】
前記背面電極が、アルミニウム、モリブデン、タングステン、バナジウム、ロジウム、ニオビウム、クロム、タンタル、チタン、鋼、ニッケル、プラチナ、銀、金、それらの合金又はそれらの任意の組合せで構成される、請求項1記載の太陽電池ユニット。
【請求項８】
前記背面電極が、インジウム錫酸化物、窒化チタン、酸化錫、フッ素ドープ酸化錫、ドープ酸化亜鉛、アルミニウムドープ酸化亜鉛、ガリウムドープ酸化亜鉛、ホウ素ドープ酸化亜鉛インジウム-亜鉛酸化物、金属-カーボンブラック充填酸化物、グラファイト-カーボンブラック充填酸化物、カーボンブラック-カーボンブラック充填酸化物、超導電性カーボンブラック充填酸化物、エポキシ、導電性ガラス又は導電性プラスチックで構成される、請求項1記載の太陽電池ユニット。
【請求項９】
前記半導体接合が、ホモ接合、ヘテロ接合、ヘテロ面接合、埋め込みホモ接合、p-i-n接合又は直列接合を含む、請求項1記載の太陽電池ユニット。
【請求項１０】
前記透明導電層が、炭素ナノチューブ、酸化錫、フッ素ドープ酸化錫、インジウム錫酸化物(ITO)、ドープ酸化亜鉛、アルミニウムドープ酸化亜鉛、ガリウムドープ酸化亜鉛、ホウ素ドープ酸化亜鉛インジウム-亜鉛酸化物又はそれらの任意の組合せを含む、請求項1記載の太陽電池ユニット。
【請求項１１】
前記半導体接合が、吸収体層及び接合パートナー層を含み、前記接合パートナー層が、前記吸収体層上に円周方向に配置されている、請求項1記載の太陽電池ユニット。
【請求項１２】
前記吸収体層が銅-インジウム-ガリウム-ジセレニドであり、前記接合パートナー層が、In2Se3、In2S3、ZnS、ZnSe、CdInS、CdZnS、ZnIn2Se4、Zn1-xMgxO、CdS、SnO2、ZnO、ZrO2又はドープZnOである、請求項11記載の太陽電池ユニット。
【請求項１３】
前記太陽電池が、前記半導体接合上に円周方向に配置された真性層をさらに含み、前記透明導電層が前記真性層上に配置される、請求項1記載の太陽電池ユニット。
【請求項１４】
前記真性層が非ドープ透明酸化物を含む、請求項13記載の太陽電池ユニット。
【請求項１５】
前記透明導電層上に円周方向に配置された充填剤層をさらに含み、前記透明ケースが前記充填剤層上に円周方向に配置されることによって、前記太陽電池を円周方向にシールする、請求項1記載の太陽電池ユニット。
【請求項１６】
前記充填剤層が、エチレン酢酸ビニル(EVA)、シリコーン、シリコーンゲル、エポキシ、ポリジメチルシロキサン(PDMS)、RTVシリコーンゴム、ポリビニルブチラール(PVB)、熱可塑性ポリウレタン(TPU)、ポリカーボネート、アクリル、フルオロポリマー又はウレタンを含む、請求項15記載の太陽電池ユニット。
【請求項１７】
前記充填剤層が1×106cP未満の粘度を有する、請求項15記載の太陽電池ユニット。
【請求項１８】
前記充填剤層が500×10-6/℃を超える熱膨張率を有する、請求項15記載の太陽電池ユニット。
【請求項１９】
前記充填剤層が、誘電ゲルと混合されたシリコン油から形成される、請求項15記載の太陽電池ユニット。
【請求項２０】
前記シリコン油がポリジメチルシロキサンポリマー液であり、前記誘電ゲルが、第1のシリコーンエラストマーと第2のシリコーンエラストマーとの混合物である、請求項15記載の太陽電池ユニット。
【請求項２１】
前記充填剤層が、X重量%のポリジメチルシロキサンポリマー液、Y重量%の第1のシリコーンエラストマー、及びZ重量%の第2のシリコーンエラストマーから形成され、X、Y及びZの合計が100になる、請求項15記載の太陽電池ユニット。
【請求項２２】
前記ポリジメチルシロキサンポリマー液が化学式(CH3)3SiO[SiO(CH3)2]nSi(CH3)3を有し、nは、ポリマー液が50センチストークから100000センチストークの範囲の平均バルク粘度を有するように選択される整数の範囲である、請求項21記載の太陽電池ユニット。
【請求項２３】
前記第1のシリコーンエラストマーが、少なくとも60重量パーセントのジメチルビニル末端ジメチルシロキサン及び3から7重量パーセントの珪酸塩を含む、請求項21記載の太陽電池ユニット。
【請求項２４】
前記第2のシリコーンエラストマーが、(i)少なくとも60重量パーセントのジメチルビニル末端ジメチルシロキサン;(ii)10から30重量パーセントの水素末端ジメチルシロキサン;及び(iii)3から7重量パーセントのトリメチル化シリカ；を含む、請求項21記載の太陽電池ユニット。
【請求項２５】
Xが30から90であり;Yが2から20であり;Zが2から20である、請求項21記載の太陽電池ユニット。
【請求項２６】
前記透明導電層上に円周方向に配置された耐水層をさらに含み、前記透明ケースが、前記耐水層上に円周方向に配置されることによって、前記太陽電池を円周方向にシールする、請求項1記載の太陽電池ユニット。
【請求項２７】
前記透明ケース上に円周方向に配置された反射防止膜をさらに含む、請求項1記載の太陽電池ユニット。
【請求項２８】
前記反射防止膜が、MgF2、硝酸珪素、硝酸チタン、一酸化珪素又は亜硝酸酸化珪素を含む、請求項27記載の太陽電池ユニット。
【請求項２９】
前記基板が20GPa以上のヤング率を有する、請求項1記載の太陽電池ユニット。
【請求項３０】
前記基板のすべて又は一部が、硬質管又は硬質中実棒である、請求項1記載の太陽電池ユニット。
【請求項３１】
前記基板のすべて又は一部が、円形断面、卵形断面、三角形断面、五角形断面、六角形断面、少なくとも1つの弓形部を有する断面、又は少なくとも1つの湾曲部を有する断面により特徴づけられる、請求項1記載の太陽電池ユニット。
【請求項３２】
前記基板の第1の部分が第1の断面形状により特徴づけられ、前記基板の第2の部分が第2の断面形状により特徴づけられる、請求項1記載の太陽電池ユニット。
【請求項３３】
複数の太陽電池ユニットを含む太陽電池組立品であって、前記複数の太陽電池ユニットにおける各太陽電池ユニットが請求項1に記載の太陽電池ユニットの構造を有し、前記複数の太陽電池ユニットにおける太陽電池ユニットが、前記太陽電池組立品を形成するように共平面列で配置される、前記太陽電池組立品。
【請求項３４】
太陽光線を前記複数の太陽電池ユニットに反射させるように配置されたアルベド面をさらに含む、請求項33記載の太陽電池組立品。
【請求項３５】
前記複数の太陽電池ユニットにおける第1の太陽電池ユニット及び第2の太陽電池ユニットが電気的に直列配置される、請求項34記載の太陽電池組立品。
【請求項３６】
前記複数の太陽電池ユニットにおける第1の太陽電池ユニット及び第2の太陽電池ユニットが電気的に並列配置される、請求項34記載の太陽電池組立品。
【請求項３７】
前記太陽電池がモノリシック集積されている、請求項1記載の太陽電池ユニット。
【請求項３８】
(A)その少なくとも一部が硬質且つ非平面である基板；
前記基板上に円周方向に配置された背面電極；
前記背面電極上に円周方向に配置された半導体接合；及び
前記半導体接合上に円周方向に配置された透明導電層；を含む太陽電池と、
(B)前記透明導電層上に円周方向に配置された充填剤層と、
(C)前記充填剤層上に円周方向に配置された透明ケースと
を含む、太陽電池ユニット。
【請求項３９】
前記太陽電池が円筒状であり、かつ
【数１】
2009530852.tif 000001
が成り立つ、請求項38記載の太陽電池ユニット
(式中、
riは、前記太陽電池の半径であり、
roは、前記透明ケースの半径であり、及び
ηouter ringは、前記透明ケースの屈折率である)。
【請求項４０】
(A)その少なくとも一部が硬質且つ非平面である基板；
前記基板上に円周方向に配置された背面電極；
前記背面電極上に円周方向に配置された半導体接合；及び
前記半導体接合上に円周方向に配置された透明導電層；を含む太陽電池と、
(B)前記透明導電層上に円周方向に配置された耐水層と、
(C)前記耐水層上に円周方向に配置された充填剤層と、
(D)前記充填剤層上に円周方向に配置された透明ケースと
を含む太陽電池ユニット。
【請求項４１】
前記基板が管である、請求項40記載の太陽電池ユニット。
【請求項４２】
前記太陽電池が円筒形を有し、かつ
【数２】
2009530852.tif 000002
が成り立つ、請求項40記載の太陽電池ユニット
(式中、
riは、前記太陽電池の半径であり、
roは、前記透明ケースの半径であり、及び
ηouter ringは、前記透明ケースの屈折率である)。
【請求項４３】
(A)その少なくとも一部が硬質且つ非平面である基板；
前記基板上に円周方向に配置された背面電極；
前記背面電極上に円周方向に配置された半導体接合；及び
前記半導体接合上に円周方向に配置された透明導電層；を含む太陽電池と、
(B)前記透明導電層上に円周方向に配置された充填剤層と、
(C)前記充填剤層上に円周方向に配置された耐水層と、
(D)前記耐水層上に円周方向に配置された透明ケースと
を含む太陽電池ユニット。
【請求項４４】
前記太陽電池が円筒形を有し、かつ
【数３】
2009530852.tif 000003
が成り立つ、請求項43記載の太陽電池ユニット
(式中、
riは、前記太陽電池の半径であり、
roは、前記透明ケースの半径であり、及び
ηouter ringは、前記透明ケースの屈折率である)。
【請求項４５】
前記基板が管である、請求項43記載の太陽電池ユニット。
【請求項４６】
前記太陽電池が円筒形を有し、かつ
【数４】
2009530852.tif 000004
が成り立つ、請求項1記載の太陽電池ユニット
(式中、
riは、前記太陽電池の半径であり、
roは、前記透明ケースの半径であり、及び
ηouter ringは、前記透明ケースの屈折率である)。